(57)【要約】      （修正有）【課題】共用認証部への登録操作が簡単な施解錠管理システムの提供を目的とする。【解決手段】錠側制御部２は、携帯機１の登録に際し、登録対象の携帯機１のうちの一のＩＤコード（Ｃid）をもとに生成される共通コード（Ｃcom）と、共通コード（Ｃcom）配下の携帯機１を分別可能な分別コード（Ｃsub）を含むコードを交信要求コード（Ｃreq）として各携帯機１に格納させ、共用側制御部４は、携帯機１の認証設定時において、共通コード（Ｃcom）生成の基準とされた携帯機１から出力されるＩＤコード（Ｃid）に対して錠側制御部２におけるコード生成規則を適用して交信要求コード（Ｃreq）を生成して該当携帯機１を自動検索し、検索携帯機１を認証対象携帯機１として順次登録する。【選択図】  図６
2006291539.tif 000002
【特許請求の範囲】
【請求項１】
所定の交信要求コードの受信によるＩＤコードの自動出力が可能な携帯機と、
集合住宅の各住戸に設置され、前記携帯機から出力されたＩＤコードが錠側制御部における登録値に一致することを条件に施解錠操作される錠装置と、
共用側制御部での携帯機の認証を条件に集合住宅の共用サービス部を動作させる共用部コントローラとを有し、
前記錠側制御部は、携帯機の登録に際し、登録対象の携帯機のうちの一のＩＤコードをもとに生成される共通コードと、共通コード配下の携帯機を分別可能な分別コードを含むコードを交信要求コードとして各携帯機に格納させ、
前記共用側制御部は、携帯機の認証設定時において、共通コード生成の基準とされた携帯機から出力されるＩＤコードに対して前記錠側制御部におけるコード生成規則を適用して交信要求コードを生成して該当携帯機を自動検索し、検索携帯機を認証対象携帯機として順次登録する施解錠管理システム。
【請求項２】
前記交信要求コードは、
錠側制御部と共用側制御部とにおける認証開始コードとして使用される請求項１記載の施解錠管理システム。
【発明の詳細な説明】
【技術分野】
【０００１】
本発明は、施解錠管理システムに関するものである。
【背景技術】
【０００２】
携帯機から発信される認証コードの錠装置側での認証を条件に錠装置を施解錠操作する施解錠管理システムとしては、特許文献１に記載のものが知られている。この従来例において、錠装置と携帯機とは、携帯機１固有のＩＤコードに携帯機番号を付与した施解錠用コードを共有しており、携帯機の施解錠用コードが錠装置により認証されると、錠装置が施解錠操作される。
【０００３】
また、上記携帯機の施解錠用コードを格納するメモリは複数用意され、マンション等の共同住宅の共同扉等の開閉をコントロールする共用認証部との間で設定される施解錠用コードが格納される。
【特許文献１】特開２００４-３１５３号公報
【発明の開示】
【発明が解決しようとする課題】
【０００４】
しかし、上述した従来例において、携帯機を共用部コントローラに登録するためには、各携帯機を錠装置への登録と同様の手順を踏んで認識させることが必要であり、面倒であるという欠点がある。
【０００５】
本発明は、以上の欠点を解消すべくなされたものであって、簡単な操作により共用認証部への登録操作が簡単な施解錠管理システムの提供を目的とする。
【課題を解決するための手段】
【０００６】
本発明によれば上記目的は、
所定の交信要求コード（Ｃreq）の受信によるＩＤコード（Ｃid）の自動出力が可能な携帯機１と、
集合住宅の各住戸に設置され、前記携帯機１から出力されたＩＤコード（Ｃid）が錠側制御部２における登録値に一致することを条件に施解錠操作される錠装置３と、
共用側制御部４での携帯機１の認証を条件に集合住宅の共用サービス部５を動作させる共用部コントローラ６とを有し、
前記錠側制御部２は、携帯機１の登録に際し、登録対象の携帯機１のうちの一のＩＤコード（Ｃid）をもとに生成される共通コード（Ｃcom）と、共通コード（Ｃcom）配下の携帯機１を分別可能な分別コード（Ｃsub）を含むコードを交信要求コード（Ｃreq）として各携帯機１に格納させ、
前記共用側制御部４は、携帯機１の認証設定時において、共通コード（Ｃcom）生成の基準とされた携帯機１から出力されるＩＤコード（Ｃid）に対して前記錠側制御部２におけるコード生成規則を適用して交信要求コード（Ｃreq）を生成して該当携帯機１を自動検索し、検索携帯機１を認証対象携帯機１として順次登録する施解錠管理システムを提供することにより達成される。
【０００７】
施解錠管理システムは、各住戸に設置される錠装置３に加え、共用部コントローラ６を備える。錠装置３には錠側制御部２が搭載されており、携帯機１から発信されるＩＤコード（Ｃid）が予め登録されたものと一致するか否かを判定して施解錠操作が行われる。
【０００８】
共用部コントローラ６は、主として集合住宅のエントランスホール等の共用部に設置され、例えば共用扉の開閉、宅配ボックスの収容案内、解錠等の共用サービス部５の動作を制御する。この共用部コントローラ６には共用側制御部４が搭載され、該共用側制御部４が携帯機１を認証した場合に共用サービス部５を駆動する。
【０００９】
携帯機１には、携帯機１固有のＩＤコード（Ｃid）と、交信要求コード（Ｃreq）とが格納され、ＩＤコード（Ｃid）は、上記錠側制御部２、および共用側制御部４での初期登録に使用することができるように、例えば、携帯機１、あるいは錠装置３等に設けられた送信ボタンの押下操作等により所望のタイミングで携帯機１から送出することができる。また、携帯機１は、格納された交信要求コード（Ｃreq）と同一の交信要求コード（Ｃreq）を受信した際には、上記ＩＤコード（Ｃid）を自動送信する。
【００１０】
携帯機１の交信要求コード（Ｃreq）は、携帯機１を錠側制御部２に登録する際に錠側制御部２において生成され、共通コード（Ｃcom）と分別コード（Ｃsub）とを有して構成される。錠側制御部２は、携帯機１の登録に際して、例えば最初に登録対象となった携帯機１のＩＤコード（Ｃid）を利用して共通コード（Ｃcom）を生成し、以後、登録対象の携帯機１に順次分別コード（Ｃsub）を割り当てて交信要求コード（Ｃreq）とする。共通コード（Ｃcom）は、上記共通コード（Ｃcom）取得対象となった携帯機１のＩＤコード（Ｃid）そのものであってもよく、さらには、ＩＤコード（Ｃid）に適宜の関数を適用してデータ長を縮め、処理系の負担を軽減させたものであってもよい。
【００１１】
携帯機１の分別コード（Ｃsub）は、共通コード（Ｃcom）を共有する携帯機１間の分別が可能であれば適宜のコード体系を利用できるが、整数、アルファベット等、適宜値を開始値とし、順次前値に所定のビット操作を加えて後値を求めることのできる集合を利用すると、携帯機１の分別、検索処理が軽くなる。
【００１２】
共用サービス部５におけるサービスを受けるためには、共用部コントローラ６に搭載された共用側制御部４での携帯機１の認証確立が必要であり、共用側制御部４での携帯機登録モードにおいて、共用側制御部４が共通コード（Ｃcom）抽出対象となった携帯機１からのＩＤコード（Ｃid）を受信すると、これをもとに交信要求コード（Ｃreq）を生成する。共用側制御部４において生成される交信要求コード（Ｃreq）は、生成規則を錠側制御部２におけるものと一致させることにより、錠側制御部２で生成されるコード体系との一致が保証される。
【００１３】
共用側制御部４は、以上のようにして共通コード（Ｃcom）に順次異なった分別コード（Ｃsub）を付与して交信要求コード（Ｃreq）を生成して出力する。上述したように、携帯機１は、所定の交信要求コード（Ｃreq）の受信によりＩＤコード（Ｃid）を出力するように構成されるために、共用側制御部４から交信要求コード（Ｃreq）を出力するだけで、同一の交信要求コード（Ｃreq）が格納された携帯機１を検索することができ、携帯機１からＩＤコード（Ｃid）が送信された場合には、当該携帯機１を認証対象携帯機１として登録する。
【００１４】
この結果、錠装置３側で認証登録した携帯機１を共用側制御部４との交信可能範囲に保持し、共通コード（Ｃcom）の基準となった携帯機１から共用側制御部４にアクセスするだけで、共通コード（Ｃcom）が同一の複数の携帯機１を共用側制御部４に登録することができる。
【発明の効果】
【００１５】
本発明によれば、共用側制御部への登録に際して携帯機の一括登録が可能であるために、登録操作を簡単にすることができる。
【発明を実施するための最良の形態】
【００１６】
マンション等の集合住宅に設置された本発明の実施の形態を図１、２に示す。この実施の形態において、施解錠管理システムは、集合住宅の各住戸に設置される錠装置３と、エントランス等の共用部に設置される共用部コントローラ６と、これら錠装置３、および共用部コントローラ６に対してアンテナを介して交信可能な携帯機１とを有する。
【００１７】
図１に示すように、錠装置３は各住戸の扉に固定されて扉を施解錠する電気錠３ａと、電気錠３ａの駆動を制御する錠側制御部２とを有し、以下の手順で携帯機１側と交信して施解錠操作が行われる。先ず、錠側制御部２は、図外のＲＯＭ内に記述されたプログラムにより動作するＣＰＵ（２ａ）に接続されるバスライン２ｂにボタン検知部２ｃ、施解錠信号生成部２ｄ、送受信部２ｅ、交信要求コード生成部２ｆ、認証部２ｇを接続して形成される。これら錠側制御部２の各構成要素は、図外のシステム用メモリのメモリ空間内にＣＰＵ（２ａ）が一時的、あるいは恒久的に構築したものであっても、あるいは適宜の回路部品により形成される回路網であってもよい。
【００１８】
一方、携帯機１は、図２に示すように、制御部１ａにコード格納手段１ｂ、アンテナ１ｃ、解錠操作ボタン１ｄ、施錠操作ボタン１ｅを接続して形成される。
【００１９】
通常運用時において施解錠操作は、錠装置３の室外側からの操作が可能な位置に配置される錠装置３の解錠操作ボタン３ｂ、あるいは施錠操作ボタン３ｃを押下することにより行われる。これらいずれかのボタン３ｂ、３ｃが押下されると、ボタン検知部２ｃは、ＣＰＵ（２ａ）に押下ボタン種を示す情報を含むボタン押下検出信号を出力する。ＣＰＵ（２ａ）がボタン押下信号を受領すると、コード格納手段３ｄに格納された交信要求コード（Ｃreq）を取り出し、押下ボタン種に基づいてコード種類データ（Ｃcl）を付加し、施解錠リクエストコードとして送受信部２ｅに出力する。
【００２０】
図３（ａ）に示すように、交信要求コード（Ｃreq）は共通コード（Ｃcom）と分別コード（Ｃsub）とから構成され、後述するように、携帯機１の錠装置３への認証登録に際して錠装置３側から割り当てられる。この実施の形態において、共通コード（Ｃcom）は１２ビット、分別コード（Ｃsub）は４ビットのデータ長を有する。また、出力される施解錠リクエストコードは「施解錠応答用」、「登録時応答用」、「応答要求用」に使用され、これらの種類が４ビットのデータ長を有するコード種類（Ｃcl）で分別される。
【００２１】
以上のようにして錠装置３のアンテナ３ｅから施解錠応答用のタグが付与された施解錠リクエストコードが出力され、携帯機１が受信すると、携帯機１の制御部１ａはコード格納手段１ｂから交信要求コード（Ｃreq）を取り出して受信した施解錠リクエストコードの交信要求コード（Ｃreq）と比較する。交信要求コード（Ｃreq）の一致がとれた場合、制御部１ａはコード格納手段１ｂから取り出したＩＤコード（Ｃid）をもとに認証用コードを生成し、アンテナ１ｃから出力する。図３（ｂ）に示すように、認証用コードは携帯機固有のＩＤコード（Ｃid）（この実施の形態においては３２ビットのデータ長を有する）に上述したコード種類（Ｃcl）を付加して構成される。
【００２２】
施解錠操作に際して錠装置３から施解錠リクエストコードを出力することにより、錠装置３側と交信する携帯機１を限定することができるために、混信を有効に防止することができる。
【００２３】
上述した施解錠リクエストコードに応答した携帯機１からの認証用コードを錠装置３が受信すると、錠側制御部２の認証部２ｇはコード格納手段３ｄから登録済みのＩＤコード（Ｃid）を取り出して認証部２ｇにおいて認証用コード中のＩＤコード（Ｃid）と比較する。
【００２４】
認証用コードの一致が確認されて携帯機１の認証が成立すると、ＣＰＵ（２ａ）は施解錠信号生成部２ｄに施錠、あるいは解錠用のドライブ信号を生成させ、電気錠３ａを所定方向に駆動する。認証部２ｇでの認証が成立しない場合には、ドライブ信号が生成されないために電気錠３ａが施解錠されることはない。
【００２５】
なお、以上においては、錠装置３側のボタン押下により施解錠操作する場合を説明したが、携帯機１側のボタン１ｄ、１ｅ押下による施解錠操作もできる。携帯機１の施解錠ボタン１ｄ、１ｅを押下すると、携帯機１は認証用コードを送信し、これを受信した錠側制御部２は、認証用コードからＩＤコード（Ｃid）を抽出し、以後、上述した手順と同様の手順で電気錠３ａを操作する。
【００２６】
次に、運用初期における携帯機１の錠装置３への登録手順を説明する。先ず、携帯機１の制御部１ａは、図４に示すように、初期設定（ステップＳ１００）が終了すると、リクエストコードの待ち受けモードに遷移する（ステップＳ１０１）。ステップＳ１０１においてリクエストコードを受信すると、これが施解錠リクエストコードか否かをコード種類、あるいはコード長により判定し（ステップＳ１０２）、施解錠リクエストコードの場合には、さらに交信要求コード（Ｃreq）が一致するか否かを判定し（ステップＳ１０３）、一致する場合には認証用コードを送信する（ステップＳ１０４）。
【００２７】
以上のステップＳ１０１からＳ１０４までの制御は、上述した錠装置３での認証制御に対応し、ステップＳ１０２において、受信したリクエストコードが施解錠リクエストコードでない場合は、ステップＳ１０４以降の登録ステップに移行する。登録ステップにおいては、先ず、リクエストコードが登録リクエストコードであることを確認する（ステップＳ１０４）。登録リクエストコードは、錠側制御部２において携帯機１を登録する際に、錠側制御部２において生成されて携帯機１に送信されるもので、図３（ｃ）に示すように、ＩＤコード（Ｃid）に交信要求コード（Ｃreq）とコード種類を付加したデータ構造を有する。
【００２８】
携帯機１は、この登録リクエストコードを受信した際には、当該コードからＩＤコード（Ｃid）を抽出して自機のＩＤコード（Ｃid）と比較した後（ステップＳ１０５）、コード格納手段に交信要求コード（Ｃreq）を格納する（ステップＳ１０６）。ステップＳ１０６が終了すると、携帯機１は登録確認のために、認証用コードを出力する（ステップＳ１０７）。
【００２９】
次に、錠側制御部２での動作を図５に示すフローチャートに基づいて説明する。錠側制御部２において、初期設定が終了し（ステップＳ２０１）、モードチェックを行って（ステップＳ２０２）登録モードでない場合には、上述したように通常運用モードとして携帯機１を使用した施解錠操作が行われる。登録モードと通常運用モードの切り替えは、施錠装置３に配置される図外の切替スイッチにより行われる。
【００３０】
これに対し、錠装置３が登録モードで、送受信部２ｅが携帯機１からの認証用コードを受信した場合（ステップＳ２０３）、すなわち、切替スイッチを登録モードに切り替えた後、携帯機１のボタンを押下して認証用コードを送信した場合には（図６（ａ）参照）、エラーチェック用の繰り返しルーチンを実行する（ステップＳ２０４、２０５、２０６）。当該ルーチンにおいてエラーがなかった場合、先ず、最初の登録対象携帯機１か否かを判定し（ステップＳ２０７）、最初の携帯機１の場合にはこの携帯機１のＩＤコード（Ｃid）をもとに交信要求コード生成部２ｆは交信要求コード（Ｃreq）の共通コード（Ｃcom）を生成し、これに分別コード（Ｃsub）を付与して交信要求コード（Ｃreq）を生成する（ステップＳ２０８）。この実施の形態において、共通コード（Ｃcom）はＩＤコード（Ｃid）の先頭１２ビットを抽出することにより生成され、登録順序が分別コード（Ｃsub）として割り当てられる。
【００３１】
この後、錠側制御部２は交信要求コード（Ｃreq）に携帯機１のＩＤコード（Ｃid）、およびコード種類（Ｃcl）を付加して登録リクエストコードを生成し、出力する（ステップＳ２０９）（図６（ａ）参照）。２台目以降の携帯機１に対しては、共通コード（Ｃcom）、すなわち、１台目のＩＤコード（Ｃid）に関連するコードが同一で、分別コード（Ｃsub）のみがインクリメントされたものが登録リクエストコードとして送信される。
【００３２】
上述したように、登録リクエストコードは携帯機１への交信要求コード（Ｃreq）の登録のために出力されるもので、錠側制御部２は、登録リクエストコードを送信すると、携帯機１側の制御ステップ（Ｓ１０７）による認証用コードのウエイトループを実行する（ステップＳ２１０、２１１、２１２）。携帯機１からの応答（認証用コード送信）が所定時間内に合った場合には、認証用コード、および共通コード（Ｃcom）をコード格納手段３ｄに格納し、当該携帯機１に対する登録が完了する（ステップＳ２１３）。この後、施錠装置３が登録モードであるならば（ステップＳ２１４）、上述した手順を繰り返し、登録モードでなければ処理を終了する（ステップＳ２１５）。
【００３３】
これに対し、ウエイトループで所定時間内に携帯機１からの応答がなかった場合には、エラー処理ルーチンが実行される（ステップ２１６、２１７）。
【００３４】
一方、共用部コントローラ６は、図７に示すように、共用サービス部５を駆動する共用側制御部４と、モード変更スイッチ６ａ、コード格納手段６ｂを備える。この共用側制御部４は、ＣＰＵ（４ａ）が接続されるバスライン４ｂに認証部４ｃ、送受信部４ｄ、交信要求コード生成部４ｅ、スイッチ検知部４ｆおよび共用サービス駆動部４ｇを接続して形成され、通常運用モードにおいては、上述した錠装置３と同様に、携帯機１からの認証用コードを認証部４ｃにおいて認証し、その結果により共用サービス駆動部４ｇを駆動する。
【００３５】
この共用側制御部４への携帯機１の認証登録の手順を図８に示す。登録に際し、先ず、共用側制御部４の初期設定が行われ（ステップＳ３０１）、モード変更スイッチ６ａに接続されるスイッチ検知部４ｆが登録モードでない場合には（ステップＳ３０２）、通常運用モードとして動作する（ステップＳ３０３）。
【００３６】
これに対し、ステップＳ３０２で登録モードが検出されると、携帯機１からの認証用コードの送信待機ループが実行される（ステップＳ３０４、３０５、３０６）。ステップＳ３０５で認証用コードが受信された場合、すなわち、共用側制御部４を登録モードにして錠側制御部２での登録時に共通コード（Ｃcom）取得対象となった携帯機１の施解錠ボタン１ｄ、１ｅを押下して認証用コードを送信すると（図６（ｂ）参照）、共用側制御部４の交信要求コード生成部４ｅは、この認証用コードから共通コード（Ｃcom）を生成する（ステップＳ３０７）。
【００３７】
共通コード（Ｃcom）の生成は、上記錠装置３での生成方法と同一の方法により行われ、取得した認証用コードの先頭１２ビットを抽出して行われる。この結果、ステップＳ３０７で生成された共通コード（Ｃcom）は、登録対象である携帯機１の共通コード（Ｃcom）と一致し、この共通コード（Ｃcom）に分別コード（Ｃsub）、コード種類（Ｃcl）を付加して施解錠リクエストコードを生成して送出する（ステップＳ３０８）。
【００３８】
図４に示すように、施解錠リクエストコードを受信した携帯機１は交信要求コード（Ｃreq）の一致の確認を行い（ステップＳ１０３）、交信相手の指定が自機である場合には認証用コードを送信する（ステップＳ１０４）。共用側制御部４は、施解錠リクエストコードを送信した後、携帯機１からのこの認証用コードの送信を待機し（ステップＳ３０９）、認証用コードを受信するとコード格納手段の一時格納領域に当該携帯機１の認証用コードを格納する（ステップＳ３１０）。
【００３９】
認証用コードの受信が確認されると、以下、同様にして分別コード（Ｃsub）をインクリメントしながら共通コード（Ｃcom）に付加して施解錠リクエストコードを生成して送信し、順次携帯機１から認証用コードを取得し、コード格納手段に一時格納する（ステップＳ３１１〜Ｓ３１６）。また、格納手順において、認証用コードの返信がない場合には、分別コード（Ｃsub）をインクリメントしてさらに検索を続行する。
【００４０】
以上のようにして、２台目以降の携帯機１は何等の操作をすることなく自動的に共用側制御部４により検索され、認証対象携帯機１として自動登録される。登録される携帯機１の数量は、登録操作前に利用者により入力されており、登録数がこの設定値に達すると、受信した携帯機１をディスプレイ上に表示する（ステップＳ３１７）。
【００４１】
この状態で未だ登録モードが維持されていると（ステップＳ３１８）、利用者に登録作業終了の確認メッセージをディスプレイに表示した後（ステップＳ３１９）、一時格納領域に蓄積した携帯機１の認証用コードをコード格納手段に確定登録する（ステップＳ３２０）。
【００４２】
また、ステップＳ３１８で登録モードでない場合、すなわち、利用者が携帯機１の登録途中でモード変更スイッチを通常運用モードに変更した場合には、一時格納領域内の蓄積内容をクリアし（ステップＳ３２１）、初期状態に復帰する。
【図面の簡単な説明】
【００４３】
【図１】錠装置を示す機能ブロック図である。
【図２】携帯機を示す機能ブロック図である。
【図３】各種コードの構造を示す図である。
【図４】携帯機の動作を示すフローチャートである。
【図５】携帯機登録モードにおける錠側制御部の動作フローである。
【図６】携帯機との交信手順を示す図で、（ａ）は携帯機と錠装置、（ｂ）は携帯機と共用部コントローラとの交信を示す図である。
【図７】共用部コントローラを示す機能ブロック図である。
【図８】携帯機登録モードにおける共用側制御部の動作フローである。
【符号の説明】
【００４４】
１        携帯機
２        錠側制御部
３        錠装置
４        共用側制御部
５        共用サービス部
６        共用部コントローラ
Ｃreq     交信要求コード
Ｃid      ＩＤコード
Ｃcom    共通コード
Ｃsub    分別コード
【図１】
2006291539.tif 000003
【図２】
2006291539.tif 000004
【図３】
2006291539.tif 000005
【図４】
2006291539.tif 000006
【図５】
2006291539.tif 000007
【図６】
2006291539.tif 000008
【図７】
2006291539.tif 000009
【図８】
2006291539.tif 000010